(57)【要約】【課題】光源の光出力を複数の所定値のいずれかに切り替えた場合でも、光源の光出力を一定に維持することができる照明装置を提供する。【解決手段】光源１５の光出力の所定値毎に光源１５の光出力の経年劣化を示す劣化情報を記憶部１３に記憶しておく。所定値は、例えば、光出力の定格値を１００％とし、７５％、５０％などの値とすることができる。ディップスイッチ１１でいずれかの所定値に切り替えた場合、制御部１０は、切り替えた所定値に対応する劣化情報に基づいて、光源１５の光出力が略一定となるように、電源部１２から光源１５へ供給する電力の変化割合を変更する。【選択図】図１
2013041724.tif 000002
【特許請求の範囲】
【請求項１】
光源と、該光源の光出力を複数の所定値のいずれかに切り替える切替部とを備える照明装置において、
前記光源の光出力が使用時間の経過と共に変化することを防止すべく、該光源へ供給する電力を変化させる調整部を備え、
該調整部は、
前記切替部により所定値を切り替えた場合、切り替えた所定値に応じて前記光源へ供給する電力の変化割合を変更するように構成してあることを特徴とする照明装置。
【請求項２】
前記調整部は、
前記光源の使用時間の経過に応じて、該光源へ供給する電力を増加するように構成してあり、
切り替えた所定値が小さいほど前記光源へ供給する電力の増加割合を小さくしてあることを特徴とする請求項１に記載の照明装置。
【請求項３】
前記所定値毎に前記光源の光出力の経年劣化を示す劣化情報を記憶する記憶部を備え、
前記調整部は、
前記切替部で所定値を切り替えた場合、切り替えた所定値に対応する劣化情報に基づいて、前記光源へ供給する電力の割合を変更するように構成してあることを特徴とする請求項１又は請求項２に記載の照明装置。
【請求項４】
切り替えた所定値に対応する劣化情報に基づいて、前記光源の寿命初期及び寿命末期に該光源へ供給する電力を算出する算出部を備え、
前記調整部は、
前記算出部で算出した電力及び前記光源の使用時間の経過に基づいて該光源へ供給する電力を調整するように構成してあることを特徴とする請求項３に記載の照明装置。
【請求項５】
前記劣化情報は、
前記光源の使用時間の経過に応じた該光源の光出力の低下割合を含むことを特徴とする請求項３又は請求項４に記載の照明装置。
【請求項６】
前記調整部は、
前記切替部で任意の時間が経過した時点で第１の所定値から第２の所定値へ切り替えた場合、前記時点での前記第１の所定値に応じた供給電力と、前記第２の所定値に応じて前記任意の時間使用した場合の供給電力との間の電力を前記時点から供給するとともに、前記第２の所定値に応じた変化割合で前記光源へ電力を供給するように構成してあることを特徴とする請求項１から請求項５までのいずれか１項に記載の照明装置。
【発明の詳細な説明】
【技術分野】
【０００１】
本発明は、光源の光出力を所定値に切り替えることにより、照度を可変することができる照明装置に関する。
【背景技術】
【０００２】
近年、ＬＥＤ（発光ダイオード）を光源とする照明装置が様々な用途向けに開発されており、白熱電球や蛍光灯等の従来の光源を用いた照明装置に対する置換えが行われつつある。ＬＥＤは、一般的に所定の電流を流すことにより所要の照度を得ることができる。
【０００３】
しかし、照明装置を長時間使用した場合には、ＬＥＤの輝度が低下し、照明装置の透光カバー、反射部材なども使用時間に応じて劣化し、照明装置としての光出力（照度）が低下する。また、蛍光灯を用いた照明装置も、同様に使用時間の経過とともに照度が低下する。そこで、蛍光灯の点灯時間を計時し、計時された点灯時間に応じて蛍光灯への供給電力を決定して光束の低下を抑制することができる照明装置が開示されている（特許文献１参照）。
【０００４】
また、光源の光出力が使用時間の経過とともに低下するので、従来、照明装置の光源の寿命末期の明るさ（光出力、照度など）を基準に照明装置の配置などの照明設計を行うとともに、使用初期の段階では光源へ供給する電力を少なくし、光源の寿命末期に近づくにつれて光源へ供給する電力を増やすことにより、使用初期の過度の明るさを抑えつつ、使用時間の経過に関わらず一定の照度が得られるようにしている。
【先行技術文献】
【特許文献】
【０００５】
【特許文献１】特開２００１−１５２７６号公報
【発明の概要】
【発明が解決しようとする課題】
【０００６】
しかし、従来技術では、調光比の変化に対して光束維持比が一定であるとして、すなわち、各調光率に対して光源の劣化度合いが一定であるものとして、調光率に応じて光源の光出力を変化させている。調光比が高い場合に比べて、調光比が低い場合には、光源の劣化度合いが小さいので、単に調光比に応じた電力を光源へ供給したのでは、光源の使用時間の経過とともに不要に光出力が高くなり、照度を一定に維持できなくなるとともに、電力消費が増大するという問題がある。
【０００７】
本発明は斯かる事情に鑑みてなされたものであり、光源の光出力を複数の所定値のいずれかに切り替えた場合でも、光源の光出力（照度）を一定に維持することができる照明装置を提供することを目的とする。
【課題を解決するための手段】
【０００８】
本発明に係る照明装置は、光源と、該光源の光出力を複数の所定値のいずれかに切り替える切替部とを備える照明装置において、前記光源の光出力が使用時間の経過と共に変化することを防止すべく、該光源へ供給する電力を変化させる調整部を備え、該調整部は、前記切替部により所定値を切り替えた場合、切り替えた所定値に応じて前記光源へ供給する電力の変化割合を変更するように構成してあることを特徴とする。
【０００９】
本発明にあっては、いずれかの所定値に切り替えた場合、調整部は、切り替えた所定値に応じて光源へ供給する電力の変化割合（使用時間の経過に伴う電力変化）を変更して、光源の光出力が使用時間の経過と共に変化することを防止する。すなわち、光出力が略一定となるように、光源へ供給する電力を変化させる。所定値は、例えば、光出力の定格値を１００％とし、７５％、５０％などの値とすることができる。なお、所定値の切り替えとは、最大出力値の切り替えに限定されるものではなく、調光信号などにより調光率を変化する場合も含む。
【００１０】
例えば、所定値が１００％の場合に、光源の使用時間が光源の寿命時間に相当するときの光出力低下率が３０％であるときは、使用時間が０である初期段階では、寿命時の光出力から逆算して、光源に供給する電力を７０％（＝１００％−３０％）とし、初期段階の光出力（照度）を補正し、使用時間が光源の寿命時間に相当する寿命末期段階では、光源に供給する電力が１００％となるように光源へ供給する電力を変化させる。これにより、光源の使用時間が初期の段階から寿命末期の段階に亘って光源の光出力を寿命時の光出力と略同等に（略一定となるように）維持することができる。
【００１１】
また、例えば、所定値が５０％の場合に、光源の使用時間が光源の寿命時間に相当するときの光出力低下率が１５％であるとする。所定値が１００％の場合に、使用時間が０である初期段階において光源に供給する電力が７０％であったので、所定値が５０％である場合の使用時間が０である初期段階において光源に供給する電力は、７０％の半分の３５％として、初期段階の光出力（照度）を補正する。光源の寿命時の光出力低下率が１５％であるので、使用時間が光源の寿命時間に相当する寿命末期段階では、光出力の劣化分を考慮して、光源に供給する電力が４１．１８％（３５％／０．８５）となるように光源へ供給する電力を変化させる。他の所定値の場合についても、同様にして初期段階及び寿命末期段階の供給電力を求めることができる。
【００１２】
切り替えた所定値に応じて光源へ供給する電力の変化割合（使用時間の経過に伴う電力変化）を変更することにより、光出力を所望の所定値に切り替えた場合でも、初期段階の光出力（照度）を補正することができ、寿命末期段階に至るまでの光出力（照度）を略一定に維持することができる。
【００１３】
また、例えば、所定値が１００％、５０％いずれの場合も光源の寿命末期段階での光出力低下率が同一の３０％とすると、所定値が５０％である場合、初期段階において光源に供給する電力は、７０％（所定値が１００％の場合に相当）の半分の３５％となり、寿命末期段階では、光出力の劣化分を考慮して、光源に供給する電力が５０％（３５％／０．７）となり、前述の４１．１８％より増加する。すなわち、初期段階から寿命末期段階に至るまでの供給電力が増加してしまうとともに、光源の光出力（照度）が略一定とならない。本発明にあっては、切り替えた所定値に応じて光源へ供給する電力の変化割合（使用時間の経過に伴う電力変化）を変更するので、光出力低下率が所定値にかかわらず一定とする場合に比べて、光源に対する消費電力を低減することができる。
【００１４】
本発明に係る照明装置は、前記調整部は、前記光源の使用時間の経過に応じて、該光源へ供給する電力を増加するように構成してあり、切り替えた所定値が小さいほど前記光源へ供給する電力の増加割合を小さくしてあることを特徴とする。
【００１５】
本発明にあっては、調整部は、光源の使用時間の経過に応じて、光源へ供給する電力を増加するようにしてあり、切り替えた所定値が小さいほど光源へ供給する電力の増加割合を小さくしてある。すなわち、光源の使用時間の経過に応じて光源の光出力は、劣化により減少するので、使用時間の経過に応じて、光源への供給電力を増加させることにより、光源の光出力（照度）を略一定にすることができる。また、所定値が小さいほど劣化度合いが少ないので、切り替えた所定値が小さいほど光源へ供給する電力の増加割合を小さくすることにより、光源の使用時間の経過とともに不要に光出力が高くなりことを防止するとともに、不要な電力消費を抑制することができる。
【００１６】
本発明に係る照明装置は、前記所定値毎に前記光源の光出力の経年劣化を示す劣化情報を記憶する記憶部を備え、前記調整部は、前記切替部で所定値を切り替えた場合、切り替えた所定値に対応する劣化情報に基づいて、前記光源へ供給する電力の割合を変更するように構成してあることを特徴とする。
【００１７】
本発明にあっては、光源の光出力の所定値毎に光源の光出力の経年劣化を示す劣化情報を記憶しておく。劣化情報は、例えば、光源の使用時間に対応した光出力低下率を示す情報であり、所定値毎に使用時間に対応した光出力低下率が異なる。調整部は、切替部で所定値を切り替えた場合、切り替えた所定値に対応する劣化情報に基づいて、光源へ供給する電力の割合を変更する。それぞれの所定値毎に光出力低下率が異なる劣化情報を用いることにより、光出力を所望の所定値に切り替えた場合でも、初期段階の光出力（照度）を補正し、劣化情報に基づいて供給電力の割合を変更するので、寿命末期段階に至るまでの光出力（照度）を略一定に維持することができる。
【００１８】
本発明に係る照明装置は、切り替えた所定値に対応する劣化情報に基づいて、前記光源の寿命初期及び寿命末期に該光源へ供給する電力を算出する算出部を備え、前記調整部は、前記算出部で算出した電力及び前記光源の使用時間の経過に基づいて該光源へ供給する電力を調整するように構成してあることを特徴とする。
【００１９】
本発明にあっては、切り替えた所定値に対応する劣化情報に基づいて、光源の寿命初期（例えば、光源の使用時間が０のとき）及び寿命末期（例えば、光源の使用時間が寿命時間になるとき）に光源へ供給する電力を算出する。例えば、所定値が１００％の場合の光出力低下率が３０％であるときは、初期電力（光源の寿命初期に供給する電力）を０．７×Ｗとし、末期電力（光源の寿命末期に供給する電力）をＷとする。電力Ｗは、光源の寿命末期の設計照度（設計上の明るさ）を得るための電力である。また、所定値が５０％の場合の光出力低下率が１５％であるときは、初期電力（光源の寿命初期に供給する電力）を０．３５×Ｗとし、末期電力（光源の寿命末期に供給する電力）を０．４１１８×Ｗとする。他の所定値の場合も同様である。これにより、初期段階の照度（光出力）を所定値に応じた値にすることができるとともに、光源の寿命末期段階に至るまで光出力（照度）を一定に維持しつつ、消費電力を少なくすることができる。
【００２０】
本発明に係る照明装置は、前記劣化情報は、前記光源の使用時間の経過に応じた該光源の光出力の低下割合を含む。
【００２１】
本発明にあっては、劣化情報は、光源への電力供給時間の経過に応じた光源の光出力の低下割合（例えば、光出力低下率）を含む。例えば、所定値が１００％の場合、光源の寿命初期（例えば、光源の使用時間が０のとき）の光出力低下率は０％であり、光源の寿命末期（例えば、光源の使用時間が寿命時間になるとき）の光出力低下率が３０％である。また、所定値が５０％の場合、光源の寿命初期（例えば、光源の使用時間が０のとき）の光出力低下率は０％であり、光源の寿命末期（例えば、光源の使用時間が寿命時間になるとき）の光出力低下率が１５％である。光源の光出力の低下割合は、所定値に応じて異なるので、光出力低下率が所定値にかかわらず一定とする場合に比べて、光源の光出力（照度）を略一定にすることができるとともに、光源に対する消費電力を低減することができる。
【００２２】
本発明に係る照明装置は、前記調整部は、前記切替部で任意の時間が経過した時点で第１の所定値から第２の所定値へ切り替えた場合、前記時点での前記第１の所定値に応じた供給電力と、前記第２の所定値に応じて前記任意の時間使用した場合の供給電力との間の電力を前記時点から供給するとともに、前記第２の所定値に応じた変化割合で前記光源へ電力を供給するように構成してあることを特徴とする。
【００２３】
本発明にあっては、任意の時間が経過した時点で第１の所定値から第２の所定値へ切り替えた場合、当該切り替え時点での第１の所定値に応じた供給電力と、第２の所定値に応じて当該任意の時間使用した場合の供給電力との間の電力を、当該切り替え時点から光源へ供給するとともに、当該切り替え時点以降は、第２の所定値に応じた変化割合で光源へ電力を供給する。これにより、光源の使用時の任意の時点で所定値を切り替えても、切替前の所定値に応じた劣化度合いを反映しつつ、切替後の所定値に応じた変化割合で光源へ電力を供給することができる。
【発明の効果】
【００２４】
本発明によれば、光源の寿命初期の段階から末期段階に到るまで光源の光出力（照度）を一定に維持することができる。
【図面の簡単な説明】
【００２５】
【図１】実施の形態１の照明装置の構成の一例を示すブロック図である。
【図２】光源の光出力の経年劣化を示す劣化情報の一例を示す説明図である。
【図３】光源の入力電力当たりの光出力の一例を示す説明図である。
【図４】光源への入力電力の設定例を示す説明図である。
【図５】光源の使用時間に伴う光出力の一例を示す説明図である。
【図６】比較例としての光源の光出力の劣化度合いを示す説明図である。
【図７】比較例としての光源の入力電力の設定例を示す説明図である。
【図８】比較例としての光源の使用時間に伴う光出力の一例を示す説明図である。
【図９】所定値を５０％とした場合の消費電力の対比例を示す説明図である。
【図１０】所定値を１００％から５０％へ切り替えた場合の光出力の劣化度合いの一例を示す説明図である。
【図１１】所定値を１００％から５０％へ切り替えた場合の光源の入力電力の設定例を示す説明図である。
【図１２】所定値を５０％から１００％へ切り替えた場合の光出力の劣化度合いの一例を示す説明図である。
【図１３】所定値を５０％から１００％へ切り替えた場合の光源の入力電力の設定例を示す説明図である。
【図１４】実施の形態２の照明装置の構成の一例を示すブロック図である。
【図１５】光源の劣化係数の一例を示す説明図である。
【図１６】光源近傍の温度毎の光出力の劣化度合いを示す説明図である。
【図１７】実施の形態２の照明装置の光源への入力電力の設定例を示す説明図である。
【図１８】光源の入力電力と劣化度合との関係の一例を示す説明図である。
【図１９】光源近傍の温度変化に伴う入力電力の設定例を示す説明図である。
【図２０】調光率を変更した場合の光源近傍の温度変化に伴う入力電力の設定例を示す説明図である。
【発明を実施するための形態】
【００２６】
（実施の形態１）
以下、本発明をその実施の形態を示す図面に基づいて説明する。図１は実施の形態１の照明装置１００の構成の一例を示すブロック図である。図１に示すように、照明装置１００は、光源１５、光源１５へ電力を供給する電源部１２、光源１５へ供給する電力を調整する調整部としての制御部１０、光源１５の光出力（照度）を複数の所定値のいずれかに切り替える切替部としてのディップスイッチ１１、記憶部１３、光源１５の使用時間を計時するタイマ１４などを備える。また、制御部１０は、照明装置１００全体を制御する。
【００２７】
光源１５は、例えば、複数のＬＥＤが直列接続された一群のＬＥＤを有する。なお、光源１５は、一群のＬＥＤが複数並列に接続した構成でもよい。また、１個のＬＥＤを備える構成でもよい。また、ＬＥＤに代えて、ＥＬ（Electro-Luminescence）等の他の光源を用いてもよい。
【００２８】
ＬＥＤは、所定の順方向電流Ｉｆが流れた場合、所定の順方向電圧Ｖｆを生ずるとともに所定の光出力（例えば、光度）Ｉを得ることができる。所定の光出力により所定の照度を得ることができる。ＬＥＤ１個当たりの電力は、Ｖｆ×Ｉｆで表すことができ、光源１５のＬＥＤの数をＮ個とすると光源１５の点灯時の電力（消費電力）Ｗは、ＬＥＤでの損失を無視すれば、Ｗ＝Ｎ×Ｖｆ×Ｉｆで表すことができる。また、ＬＥＤの順方向電圧Ｖｆが一定であると仮定すれば、供給電力は、ＬＥＤの順方向電流、光源１５の光出力に比例する。
【００２９】
ディップスイッチ（ＤＩＳＰＳＷ）１１は、光源１５の光出力を最大１００％として予め定めた複数の所定値に切り替えることができる。例えば、ディップスイッチ１１は、所定値が１００％、９０％、７５％、５０％に対応してオン／オフするスイッチ（ＳＷ）を４つ備え、いずれか１つのスイッチ（ＳＷ）をオンにすることにより、所定値を切り替えることができる。ディップスイッチ１１は、切り替えた所定値を示す切替信号を制御部１０へ出力する。
【００３０】
電源部１２は、ＡＣ／ＤＣ変換回路、定電流回路などを備え、商用電源（例えば、ＡＣ１００Ｖ、ＡＣ２００Ｖなど）からの交流電圧を直流電圧に変換し、変換した直流電圧を光源１５へ出力することにより、光源１５へ電力を供給する。
【００３１】
また、電源部１２は、制御部１０からの制御信号に基づいて、光源１５へ流す出力電流を変更することができる。例えば、ディップスイッチ１１で所定値が１００％に切り替えられた場合に、制御部１０が出力する制御信号により電源部１２が出力電流Ｉｏを出力するときには、ディップスイッチ１１で所定値が９０％、７５％、５０％のいずれかに切り替えられた場合には、電源部１２は、それぞれ出力電流０．９×Ｉｏ、０．７５×Ｉｏ、０．５×Ｉｏを出力する。
【００３２】
ディップスイッチ１１で所定値を１００％に切り替えた場合には、照明装置１００は、最大出力を、例えば、定格光出力の１００％とし、ディップスイッチ１１で所定値を９０％に切り替えた場合には、照明装置１００は、最大出力を９０％（例えば、定格光出力の９０％）とし、所定値を７５％に切り替えた場合には、照明装置１００は、最大出力を７５％（例えば、定格光出力の７５％）とし、で所定値を５０％に切り替えた場合には、照明装置１００は、最大出力を５０％（例えば、定格光出力の５０％）とする。なお、所定値は、１００％、９０％、７５％、５０％に限定されるものではなく、他の値でもよい。なお、所定値の切り替えとは、最大出力値の切り替えに限定されるものではなく、調光信号などにより調光率を変化する場合も含む。
【００３３】
タイマ１４は、光源１５の使用時間を計時する。なお、光源１５の使用時間とは、光源１５の点灯時間、あるいは光源１５への電力供給時間であり、照明装置の使用開始時点からの累積値（通算時間）である。
【００３４】
記憶部１３は、所定値毎に光源１５の光出力の経年劣化を示す劣化情報を記憶する。劣化情報は、例えば、光源１５の使用時間に対応した光出力低下率を示す情報であり、所定値毎に使用時間に対応した光出力低下率が異なる。なお、劣化情報を記憶部１３に記憶する構成に代えて、すなわち、劣化情報を用いる構成に代えて、所定値に対応付けて光源１５へ供給する電力の変化割合（使用時間の経過に伴う電力の変化割合）を定めておく構成でもよい。この場合、電力の変化割合は、劣化情報と別個独立の情報とすることができる。
【００３５】
図２は光源１５の光出力の経年劣化を示す劣化情報の一例を示す説明図である。図２に示すように、本実施の形態では、所定値毎に異なる劣化情報を用いる。図２において、横軸は光源１５の使用時間である。図２の例では、４００００時間が光源１５の公証の寿命時間としているが、これに限定されるものではない。また、縦軸は光出力の低下率を示し、使用時間が０のときの光出力低下率を０とし、使用時間の増加（経年変化）とともに光出力が初期値よりどの程度低下するかを示す。すなわち、劣化情報は、光源１５の使用時間に対する光出力の低下率を示すものである。
【００３６】
図２において、符号Ａで示す曲線は、所定値が１００％（ＤＩＳＰＳＷ＝１００％とも称する）の場合の光出力低下率を示す。例えば、使用時間が、１００００時間、２００００時間、３００００時間、４００００時間のときの光出力低下率は、それぞれ９２．５０％、８５．００％、７７．５０％、７０．００％である。すなわち、所定値を１００％に切り替えて光源１５を使用した場合、寿命末期（使用時間が４００００時間程度）では、光出力は３０％低下する。
【００３７】
同様に、符号Ｂで示す曲線は、所定値が９０％（ＤＩＳＰＳＷ＝９０％とも称する）の場合の光出力低下率を示す。例えば、使用時間が、１００００時間、２００００時間、３００００時間、４００００時間のときの光出力低下率は、それぞれ９３．２５％、８６．５０％、７９．７５％、７３．００％である。すなわち、所定値を９０％に切り替えて光源１５を使用した場合、寿命末期（使用時間が４００００時間程度）では、光出力は２７％低下する。
【００３８】
同様に、符号Ｃで示す曲線は、所定値が７５％（ＤＩＳＰＳＷ＝７５％とも称する）の場合の光出力低下率を示す。例えば、使用時間が、１００００時間、２００００時間、３００００時間、４００００時間のときの光出力低下率は、それぞれ９４．３８％、８８．７５％、８３．１３％、７７．５０％である。すなわち、所定値を７５％に切り替えて光源１５を使用した場合、寿命末期（使用時間が４００００時間程度）では、光出力は２２．５％低下する。
【００３９】
また、符号Ｄで示す曲線は、所定値が５０％（ＤＩＳＰＳＷ＝５０％とも称する）の場合の光出力低下率を示す。例えば、使用時間が、１００００時間、２００００時間、３００００時間、４００００時間のときの光出力低下率は、それぞれ９６．２５％、９２．５０％、８８．７５％、８５．００％である。すなわち、所定値を５０％に切り替えて光源１５を使用した場合、寿命末期（使用時間が４００００時間程度）では、光出力は１５％低下する。
【００４０】
図３は光源１５の入力電力当たりの光出力の一例を示す説明図である。光源１５の入力電力とは、光源１５へ供給する供給電力である。図３は、所定値毎(例えば、１００％、９０％、７５％、５０％)に光源１５の使用時間の経過に伴う光出力の変化（劣化割合）を示すものであり、入力電力を一定とした場合の光出力の劣化割合を相対的に示す。
【００４１】
次に、本実施の形態の照明装置１００の動作について説明する。まず、ディップスイッチ１１で所定値を１００％に切り替えて使用する場合について説明する。すなわち、照明装置１００を所定の設置個所に設置し、ディップスイッチ１１を操作して所定値を１００％に切り替えて照明装置１００の使用を開始する。
【００４２】
ディップスイッチ１１で所定値を１００％に切り替えたので、制御部１０は、所定値が１００％（ＤＩＳＰＳＷ＝１００％）に対応する劣化情報に基づいて、光源１５の光出力が略一定となるように、光源１５へ供給する電力を調整する。
【００４３】
図４は光源１５への入力電力の設定例を示す説明図であり、図５は光源１５の使用時間に伴う光出力の一例を示す説明図である。図４において、横軸は光源１５の使用時間であり、図２と同様、使用時間が４００００時間で寿命時（寿命末期）としている。また、縦軸は定格に対する入力電力であり、光源１５の使用時間に応じた光源１５への入力電力（供給電力）を示す。すなわち、所定値が１００％の場合に光源１５の寿命時（使用時間が４００００時間）の入力電力（供給電力）を基準（１００％）としたときの、所定値毎に使用時間に応じて光源１５へ投入する入力電力の割合を示したものである。符号Ａ、Ｂ、Ｃ、Ｄで示す曲線は、それぞれ所定値が１００％、９０％、７５％、５０％である場合の入力電力（供給電力）の変化割合を示す。
【００４４】
また、図５において、横軸は光源１５の使用時間であり、縦軸は光源１５の光出力である。符号Ａ、Ｂ、Ｃ、Ｄで示す曲線は、それぞれ所定値が１００％、９０％、７５％、５０％である場合を示す。
【００４５】
まず、図４の符号Ａで示す、所定値が１００％の場合について説明する。図２に例示するように、所定値が１００％の場合、光源１５の使用時間が光源の寿命時間に相当する４００００時間のときの光出力低下率が３０％であるときは、使用時間が０である初期段階では、寿命時の光出力から逆算して、光源１５に供給する電力を７０％（＝１００％−３０％）とし、初期段階の光出力（照度）を補正し、使用時間が光源１５の寿命時間に相当する寿命末期段階では、光源１５に供給する電力が１００％となるように光源１５へ供給する電力の変化割合を変更する。
【００４６】
より具体的には、図４の符号Ａで示す例では、光源１５の使用時間が、例えば、０時間、１００００時間、２００００時間、３００００時間、４００００時間において、光源１５への入力電力（供給電力）は、それぞれ７０％、７５．６８％、８２．３５％、９０．３２％、１００％となるように電力の変化割合を変更する。これにより、図５の符号Ａで示すように、光源１５の使用時間が初期の段階から寿命末期の段階に亘って光源１５の光出力を寿命時の光出力と略同等に（略一定となるように）維持することができる。
【００４７】
次に、図４の符号Ｂで示す、所定値が９０％の場合について説明する。図２に例示するように、所定値が９０％の場合、光源１５の使用時間が光源の寿命時間に相当する４００００時間のときの光出力低下率が２７％であるとする。所定値が１００％の場合に、使用時間が０である初期段階において光源１５に供給する電力が７０％であったので、所定値が９０％である場合の使用時間が０である初期段階において光源１５に供給する電力は、７０％の０．９倍の６３％として、初期段階の光出力（照度）を補正する。光源１５の寿命時の光出力低下率が２７％であるので、使用時間が光源１５の寿命時間に相当する寿命末期段階では、光出力の劣化分を考慮して、光源１５に供給する電力が８６．３０％（６３％／０．７３）となるように光源１５へ供給する電力の変化割合を変更する。
【００４８】
より具体的には、図４の符号Ｂで示す例では、光源１５の使用時間が、例えば、０時間、１００００時間、２００００時間、３００００時間、４００００時間において、光源１５への入力電力（供給電力）は、それぞれ６３％、６７．５６％、７２．８３％、７９．００％、８６．３０％となるように電力の変化割合を変更する。これにより、図５の符号Ｂで示すように、光源１５の使用時間が初期の段階から寿命末期の段階に亘って光源１５の光出力を寿命時の光出力と略同等に（略一定となるように）維持することができる。
【００４９】
次に、図４の符号Ｃで示す、所定値が７５％の場合について説明する。図２に例示するように、所定値が７５％の場合、光源１５の使用時間が光源の寿命時間に相当する４００００時間のときの光出力低下率が２２．５％であるとする。所定値が１００％の場合に、使用時間が０である初期段階において光源１５に供給する電力が７０％であったので、所定値が７５％である場合の使用時間が０である初期段階において光源１５に供給する電力は、７０％の０．７５倍の５２．５％として、初期段階の光出力（照度）を補正する。光源１５の寿命時の光出力低下率が２２．５％であるので、使用時間が光源１５の寿命時間に相当する寿命末期段階では、光出力の劣化分を考慮して、光源１５に供給する電力が６７．７４％（５２．５％／０．７７５）となるように光源１５へ供給する電力の変化割合を変更する。
【００５０】
より具体的には、図４の符号Ｃで示す例では、光源１５の使用時間が、例えば、０時間、１００００時間、２００００時間、３００００時間、４００００時間において、光源１５への入力電力（供給電力）は、それぞれ５２．５０％、５５．６３％、５９．１５％、６３．１６％、６７．７４％となるように電力の変化割合を変更する。これにより、図５の符号Ｃで示すように、光源１５の使用時間が初期の段階から寿命末期の段階に亘って光源１５の光出力を寿命時の光出力と略同等に（略一定となるように）維持することができる。
【００５１】
次に、図４の符号Ｄで示す、所定値が５０％の場合について説明する。図２に例示するように、所定値が５０％の場合、光源１５の使用時間が光源の寿命時間に相当する４００００時間のときの光出力低下率が１５％であるとする。所定値が１００％の場合に、使用時間が０である初期段階において光源１５に供給する電力が７０％であったので、所定値が５０％である場合の使用時間が０である初期段階において光源１５に供給する電力は、７０％の半分の３５％として、初期段階の光出力（照度）を補正する。光源１５の寿命時の光出力低下率が１５％であるので、使用時間が光源１５の寿命時間に相当する寿命末期段階では、光出力の劣化分を考慮して、光源１５に供給する電力が４１．１８％（３５％／０．８５）となるように光源１５へ供給する電力の変化割合を変更する。
【００５２】
より具体的には、図４の符号Ｄで示す例では、光源１５の使用時間が、例えば、０時間、１００００時間、２００００時間、３００００時間、４００００時間において、光源１５への入力電力（供給電力）は、それぞれ３５％、３６．３６％、３７．８４％、３９．４４％、４１．１８％となるように電力の変化割合を変更する。これにより、図５の符号Ｄで示すように、光源１５の使用時間が初期の段階から寿命末期の段階に亘って光源１５の光出力を寿命時の光出力と略同等に（略一定となるように）維持することができる。
【００５３】
上述のように、それぞれの所定値毎に光出力低下率が異なる劣化情報を用いることにより、光出力を所望の所定値に切り替えた場合でも、初期段階の光出力（照度）を補正し、劣化情報に基づいて供給電力の変化割合を変更するので、所定値に関わらず寿命末期段階に至るまでの光出力（照度）を略一定に維持することができる。
【００５４】
次に、比較例について説明する。図６は比較例としての光源の光出力の劣化度合いを示す説明図であり、図７は比較例としての光源の入力電力の設定例を示す説明図であり、図８は比較例としての光源の使用時間に伴う光出力の一例を示す説明図である。図６乃至図８の例は、従来例を示すものである。図６において、横軸は光源の使用時間を示し、縦軸は光源の光出力の低下率を示す。図６に示すように、従来は光源の光出力の劣化度合いは、１つだけ定められており、例えば、使用時間が０時間においては、光源の光出力低下率が０％である。使用時間が増加するにつれて光出力低下率も増加し、使用時間が４００００時間（光源の寿命時）においては、光出力低下率は３０％である。
【００５５】
図７は従来の入力電力の設定例を示すものであり、横軸は光源の使用時間であり、縦軸は定格に対する入力電力であり、光源の使用時間に応じた光源への入力電力（供給電力）を示す。すなわち、所定値が１００％の場合に光源の寿命時（使用時間が４００００時間）の入力電力（供給電力）を基準（１００％）としたときの、所定値毎に使用時間に応じて光源へ投入する入力電力の割合を示したものである。符号Ａ、Ｂ、Ｃ、Ｄで示す曲線は、それぞれ所定値が１００％、９０％、７５％、５０％である場合の入力電力の変化割合を示す。図７からわかるように、所定値に関わらず、入力電力の変化割合は同一となっている。なお、図７に示す例では、光出力の劣化度合いとして図６に例示したものを用いている。
【００５６】
また、図８において、横軸は光源の使用時間であり、縦軸は光源の光出力である。符号Ａ、Ｂ、Ｃ、Ｄで示す曲線は、それぞれ所定値が１００％、９０％、７５％、５０％である場合を示す。
【００５７】
まず、図７の符号Ａで示す、所定値が１００％の場合について説明する。図６に例示するように、所定値が１００％の場合、光源の使用時間が光源の寿命時間に相当する４００００時間のときの光出力低下率が３０％であるときは、使用時間が０である初期段階では、寿命時の光出力から逆算して、光源に供給する電力を７０％（＝１００％−３０％）とし、初期段階の光出力（照度）を補正し、使用時間が光源の寿命時間に相当する寿命末期段階では、光源に供給する電力が１００％となるように光源へ供給する電力を調整する。
【００５８】
より具体的には、図７の符号Ａで示す例では、光源の使用時間が、例えば、０時間、１００００時間、２００００時間、３００００時間、４００００時間において、光源への入力電力（供給電力）は、それぞれ７０％、７５．６８％、８２．３５％、９０．３２％、１００％となるように調整する。これにより、図８の符号Ａで示すように、光源の使用時間が初期の段階から寿命末期の段階に亘って光源の光出力を寿命時の光出力と略同等に（略一定となるように）維持することができる。
【００５９】
次に、図７の符号Ｄで示す、所定値が５０％の場合について説明する。図６に例示するように、所定値にかかわらず、光源の使用時間が光源の寿命時間に相当する４００００時間のときの光出力低下率が３０％である。所定値が１００％の場合に、使用時間が０である初期段階において光源に供給する電力が７０％であったので、所定値が５０％である場合の使用時間が０である初期段階において光源に供給する電力は、７０％の半分の３５％として、初期段階の光出力（照度）を補正する。光源の寿命時の光出力低下率が３０％で一定であるので、使用時間が光源の寿命時間に相当する寿命末期段階では、光出力の劣化分を考慮して、光源に供給する電力は５０．００％（３５％／０．７０）となる。
【００６０】
より具体的には、図７の符号Ｄで示す例では、光源の使用時間が、例えば、０時間、１００００時間、２００００時間、３００００時間、４００００時間において、光源への入力電力（供給電力）は、それぞれ３５％、３７．８４％、４１．１８４％、４５．１６％、５０．００％となる。
【００６１】
上述の比較例のように、所定値が１００％、５０％いずれの場合も光源の寿命末期段階での光出力低下率が同一の３０％とすると、所定値が５０％である場合、初期段階において光源に供給する電力は、７０％（所定値が１００％の場合に相当）の半分の３５％となり、寿命末期段階では、光出力の劣化分を考慮して、光源に供給する電力が５０％（３５％／０．７）となり、本実施の形態の図４の符号Ｄで示す場合の４１．１８％より増加する。すなわち、初期段階から寿命末期段階に至るまでの供給電力が増加してしまうとともに、図８の符号Ｄで示すように、光源の光出力（照度）が略一定とならない。なお、他の所定値についても同様である。
【００６２】
図９は所定値を５０％とした場合の消費電力の対比例を示す説明図である。図９において、横軸は光源の使用時間を示し、縦軸は定格に対する入力電力を示し、光源の使用時間に応じた光源への入力電力（供給電力）を示す。すなわち、所定値が１００％の場合に光源の寿命時（使用時間が４００００時間）の入力電力（供給電力）を基準（１００％）としたときに、所定値が５０％のときの使用時間に応じて光源へ投入する入力電力の割合を示したものである。
【００６３】
図９に示すように、図６乃至図８で示した比較例の場合には、使用時間が０時間から４００００時間まで経過した場合、従来例として示す曲線のように、光源への入力電力は、３５％から５０％まで使用時間の経過とともに増加する。一方、本実施の形態の照明装置１００では、使用時間が０時間から４００００時間まで経過した場合、光源への入力電力は、本実施例として示す曲線のように、使用時間の経過とともに、比較例の場合の入力電力を常に下回る状態で、３５％から４１．１８％まで使用時間の経過とともに増加する。本実施の形態では、所定値毎の劣化情報に応じて光源への供給電力の変化割合を変更するので、光出力低下率が所定値にかかわらず一定とする場合に比べて、従来例で示す曲線と本実施例で示す曲線との差分に相当する分だけ電力消費を抑制することができる。
【００６４】
なお、光出力の最大値が低くなるように所定値が切り替えられるに従い、使用時間の経過に対する光源１５の劣化度合いが低下するので、所定値の切り替えにより、光出力の最大値を低下させることに応じて入力電力の増加割合を低減する必要がある。これは、所定値の切り替えに応じて使用時の光源１５への温度負荷が変化するためである。具体的には、光出力が高いほど使用時の発熱量が大きく劣化度合いが大きくなり、低いほど発熱量が小さく劣化度合いが小さくなる。
【００６５】
本実施の形態では、光源１５への使用時間の経過に応じて光源１５の光出力は、劣化情報に示される態様で減少するので、制御部１０が、使用時間の経過に応じて、劣化情報に基づいて光源１５への供給電力を増加させることにより、光源１５の光出力（照度）を略一定にすることができる。すなわち、制御部１０は、光源１５の光出力が使用時間の経過と共に変化することを防止する。
【００６６】
また、本実施の形態では、ディップスイッチ１１で切り替えた所定値に対応する劣化情報に基づいて、光源１５の寿命初期（例えば、光源１５の使用時間が０のとき）及び寿命末期（例えば、光源１５の使用時間が寿命時間になるとき）に光源１５へ供給する電力を算出する。例えば、所定値が１００％の場合の光出力低下率が３０％であるときは、初期電力（光源１５の寿命初期に供給する電力）を０．７×Ｗとし、末期電力（光源１５の寿命末期に供給する電力）をＷとする。電力Ｗは、光源１５の寿命末期の設計照度（設計上の明るさ）を得るための電力である。また、所定値が５０％の場合の光出力低下率が１５％であるときは、初期電力（光源１５の寿命初期に供給する電力）を０．３５×Ｗとし、末期電力（光源１５の寿命末期に供給する電力）を０．４１１８×Ｗとする。他の所定値の場合も同様である。これにより、初期段階の照度（光出力）を所定値に応じた値にすることができるとともに、光源１５の寿命末期段階に至るまで光出力（照度）を一定に維持しつつ、消費電力を少なくすることができる。
【００６７】
また、本実施の形態では、劣化情報は、光源１５への使用時間の経過に応じた光源１５の光出力の低下割合（例えば、光出力低下率）を含み、所定値が小さいほど低下割合を小さくしてある。例えば、所定値が１００％の場合、光源１５の寿命初期（例えば、光源１５の使用時間が０のとき）の光出力低下率は０％であり、光源１５の寿命末期（例えば、光源１５の使用時間が寿命時間になるとき）の光出力低下率が３０％である。また、所定値が５０％の場合、光源１５の寿命初期（例えば、光源１５の使用時間が０のとき）の光出力低下率は０％であり、光源１５の寿命末期（例えば、光源１５の使用時間が寿命時間になるとき）の光出力低下率が１５％である。光源１５の光出力の低下割合は、所定値に応じて異なるので、所定値にかかわらず光出力低下率を一定とする場合に比べて、光源１５の光出力（照度）を略一定にすることができるとともに、光源１５に対する消費電力を低減することができる。
【００６８】
上述の例では、ディップスイッチ１１による所定値の切り替えを、照明装置１００を設置するような初期段階で行う場合について説明したが、ディップスイッチ１１による所定値の切り替えは、照明装置１００の寿命前の任意の時点で行うことができる。以下、照明装置１００の使用途中（経年劣化の途中）で所定値を切り替える場合について説明する。
【００６９】
まず、ディップスイッチ１１で所定値を小さい値へ切り替える場合について説明する。図１０は所定値を１００％から５０％へ切り替えた場合の光出力の劣化度合いの一例を示す説明図であり、図１１は所定値を１００％から５０％へ切り替えた場合の光源の入力電力の設定例を示す説明図である。図１０において、横軸は光源１５の使用時間を示し、縦軸は光源１５の光出力低下率を示す。また、図１１において、横軸は光源１５の使用時間を示し、縦軸は定格に対する入力電力を示す。
【００７０】
図１０に示すように、光源１５の使用時間が、例えば、２００００時間の時点で所定値を１００％から５０％へ切り替えたとする。図１１に示すように、光源の使用時間が０時間から２００００時間までは、所定値が１００％（ＤＩＳＰＳＷ＝１００％）の場合の符号Ａで示す劣化情報に基づいて光源１５への入力電力（供給電力）を設定し、光源の使用時間が２００００時間から４００００時間までは、所定値が５０％（ＤＩＳＰＳＷ＝５０％）の場合の符号Ｄで示す劣化情報に基づいて光源１５への入力電力（供給電力）を設定する。
【００７１】
より具体的には、光源１５の使用時間が０時間の時点で、入力電力は７０％に設定する。これは、所定値が１００％の場合の光源１５の寿命末期（例えば、光源１５の使用時間が４００００時間になるとき）の光出力低下率が３０％だからである。そして、任意の使用時間での入力電力は、使用時間が４００００時間のときに１００％となるような符号Ａで示す曲線上に沿った値に設定する。例えば、使用時間が１００００時間では入力電力は７５．６８％であり、使用時間が２００００時間では入力電力は８２．３５％である。
【００７２】
使用時間が２００００時間の時点で所定値が１００％から５０％へ切り替えられたので、使用時間が２００００時間の時点の入力電力を、８２．３５％の半分である４１．１８％にする。使用時間が２００００時間以降の使用時間では、入力電力は４１．１８％を基準として、所定値が５０％（ＤＩＳＰＳＷ＝５０％）の場合の符号Ｄで示す劣化情報に基づいて光源１５への入力電力（供給電力）が設定される。例えば、使用時間が３００００時間では入力電力を４３．０８％、使用時間が４００００時間では入力電力を４５．１６％とする。
【００７３】
使用時間が０時間の初期から所定値５０％として光源１５を使用（点灯）した場合には、使用時間が２００００時間の時点では入力電力は３７．８４％となるが、２００００時間までの間に、所定値５０％よりも大きな所定値１００％で光源１５を使用した場合には、光源１５の劣化度合いも大きい。このため、所定値を１００％から５０％へ切り替えた時点での入力電力は、３７．８４％よりも大きい４１．１８％に設定している。所定値を切り替えた場合に、切替時点で入力電力を調整することにより、所定値を切り替えた場合でも、所定値に応じた光出力を得ることができる。
【００７４】
上述のように、任意の時間（例えば、２００００時間）が経過した時点で第１の所定値（例えば、１００％）から第２の所定値（例えば、５０％）へ切り替えた場合、当該切り替え時点（使用時間が２００００時間の時点）での第１の所定値に応じた入力電力（８２．３５％）と、第２の所定値に応じて当該任意の時間（例えば、２００００時間）使用した場合の入力電力（３７．８４％）との間の電力（４１．１８％）を、当該切り替え時点から光源へ供給するとともに、当該切り替え時点以降は、第２の所定値に応じた変化割合で光源１５へ電力を供給する。これにより、光源１５の使用時の任意の時点で所定値を切り替えても、切替前の所定値に応じた劣化度合いを反映しつつ、切替後の所定値に応じた変化割合で光源へ電力を供給することができる。
【００７５】
次に、ディップスイッチ１１で所定値を大きい値へ切り替える場合について説明する。図１２は所定値を５０％から１００％へ切り替えた場合の光出力の劣化度合いの一例を示す説明図であり、図１３は所定値を５０％から１００％へ切り替えた場合の光源の入力電力の設定例を示す説明図である。図１２において、横軸は光源１５の使用時間を示し、縦軸は光源１５の光出力低下率を示す。また、図１３において、横軸は光源１５の使用時間を示し、縦軸は定格に対する入力電力を示す。
【００７６】
図１２に示すように、光源１５の使用時間が、例えば、２００００時間の時点で所定値を５０％から１００％へ切り替えたとする。図１３に示すように、光源の使用時間が０時間から２００００時間までは、所定値が５０％（ＤＩＳＰＳＷ＝５０％）の場合の符号Ｄで示す劣化情報に基づいて光源１５への入力電力（供給電力）を設定し、光源の使用時間が２００００時間から４００００時間までは、所定値が１００％（ＤＩＳＰＳＷ＝１００％）の場合の符号Ａで示す劣化情報に基づいて光源１５への入力電力（供給電力）を設定する。
【００７７】
より具体的には、光源１５の使用時間が０時間の時点で、入力電力は３５％に設定する。これは、所定値１００％の場合の入力電力が７０％であり、その半分だからである。そして、任意の使用時間での入力電力は、使用時間が４００００時間のときに入力電力が４１．１８％となるような符号Ｄで示す曲線上に沿った値に設定する。例えば、使用時間が１００００時間では入力電力は３６．３６％であり、使用時間が２００００時間では入力電力は３７．８４％である。
【００７８】
使用時間が２００００時間の時点で所定値が５０％から１００％へ切り替えられたので、使用時間が２００００時間の時点の入力電力を、３７．８４％の２倍である７５．６８％にする。使用時間が２００００時間以降の使用時間では、入力電力は７５．６８％を基準として、所定値が１００％（ＤＩＳＰＳＷ＝１００％）の場合の符号Ａで示す劣化情報に基づいて光源１５への入力電力（供給電力）が設定される。例えば、使用時間が３００００時間では入力電力を８２．３５％、使用時間が４００００時間では入力電力を９０．３２％とする。
【００７９】
使用時間が０時間の初期から所定値１００％として光源１５を使用（点灯）した場合には、使用時間が２００００時間の時点では入力電力は８２．３５％となるが、２００００時間までの間に、所定値１００％よりも小さな所定値５０％で光源１５を使用した場合には、光源１５の劣化度合いは小さい。このため、所定値を５０％から１００％へ切り替えた時点での入力電力は、８２．３５％よりも小さい７５．６８％に設定している。所定値を切り替えた場合に、切替時点で入力電力を調整することにより、所定値を切り替えた場合でも、電力消費を抑制しつつ所定値に応じた光出力を得ることができる。
【００８０】
上述のように、任意の時間（例えば、２００００時間）が経過した時点で第１の所定値（例えば、５０％）から第２の所定値（例えば、１００％）へ切り替えた場合、当該切り替え時点（使用時間が２００００時間の時点）での第１の所定値に応じた入力電力（３７．８４％）と、第２の所定値に応じて当該任意の時間（例えば、２００００時間）使用した場合の入力電力（８２．３５％）との間の電力（７５．６８％）を、当該切り替え時点から光源へ供給するとともに、当該切り替え時点以降は、第２の所定値に応じた変化割合で光源１５へ電力を供給する。これにより、光源１５の使用時の任意の時点で所定値を切り替えても、切替前の所定値に応じた劣化度合いを反映しつつ、切替後の所定値に応じた変化割合で光源へ電力を供給することができる。
【００８１】
（実施の形態２）
実施の形態１では、光源１５の最大光出力を切り替えるディップスイッチ１１を備え、光出力を切り替えた場合でも光出力を略一定するための構成について説明した。光源１５の光出力は、ディップスイッチ１１による切替だけでなく、リモコンなどの遠隔操作端末で光源を調光することで変更することもできる。以下、光源１５を調光する場合について説明する。
【００８２】
図１４は実施の形態２の照明装置２００の構成の一例を示すブロック図である。図１４に示すように、実施の形態１との相違点は、照明装置２００は、受光部１６、ＰＷＭ回路を有する電源部１７、劣化度合いを算出する算出部としての劣化度合算出部１８、電力を計測する計測部としての電力計測部１９、温度センサ２０などを備える点である。なお、実施の形態１と同様の構成は同一符号を付して説明を省略する。
【００８３】
受光部１６は、リモコンから送信された調光信号を受信し、受信した調光信号を制御部１０へ出力する。調光信号は、光源１５の光出力の調光率を含む。調光率は、例えば、１００％〜２５％などとすることができる。なお、光源１５を調光する場合、リモコンからの調光信号を受信する構成に限定されるものではなく、例えば、壁などに設けられた調光器などから調光信号を取得する構成でもよい。
【００８４】
温度センサ２０は、光源１５の近傍の温度を検出し、検出した温度を制御部１０へ出力する。温度センサ２０は、例えば、ＬＥＤが実装された基板上に装着して、ＬＥＤ近傍の温度を検出する。
【００８５】
電力計測部１９は、電源部１７から光源１５へ供給される電力を計測し、計測した電力を制御部１０へ出力する。なお、電力計測部１９及び温度センサ２０は、両方備える構成でもよく、いずれか一方だけを具備する構成でもよい。
【００８６】
制御部１０は、温度に関する諸量を取得して光源１５の近傍の温度を特定する特定部としての機能を有する。すなわち、制御部１０は、温度センサ２０で得られた温度に基づいて、光源１５の近傍の温度を特定する。また、制御部１０は、電力計測部１９で計測した電力に基づいて光源１５の近傍の温度を特定する。例えば、照明装置の構造が定まれば、光源１５から外部の雰囲気までの熱抵抗が定まり、環境温度（例えば、照明装置の周囲の雰囲気温度）を一定と仮定すれば、計測した電力により光源１５の温度を推定することができる。これにより、光源１５近傍の温度を取得することができる。また、光源１５の光出力の調光率は、光源１５に供給する電力に比例するので、調光率に応じて光源１５の温度を推定することもできる。
【００８７】
温度に関する諸量は、光源１５近傍の温度自身、光源１５近傍の温度を推定することができる光源１５への供給電力、光源１５への供給電力を求めることができる調光率などである。光源１５の光出力に対する調光率を変更した場合、光源１５への供給電力が変わり、光源１５近傍の温度も変化することになる。
【００８８】
劣化度合算出部１８は、光源１５近傍の温度及び光源１５の使用時間に基づいて、光源１５の光出力の劣化度合いを算出する。光源１５の使用時間とは、光源１５の点灯時間、あるいは光源１５への電力供給時間であり、照明装置の使用開始時点からの累積値（通算時間）である。また、劣化度合いは、例えば、光源１５の光出力低下率である。
【００８９】
一般的に、温度が１０℃変動した場合、劣化度合いは２倍変動する。そこで、例えば、所定の温度（例えば、使用時の最高温度として９０℃など）における単位時間（例えば、１時間）当たりの劣化係数を定めておき、光源１５近傍で特定した温度（例えば、１時間当たりの平均温度）と予め定めた劣化係数に応じて、任意の使用時点での光源１５の劣化度合いを算出することができる。
【００９０】
図１５は光源１５の劣化係数の一例を示す説明図である。図１５において、横軸は温度を示し、縦軸は劣化係数の値を示す。劣化係数は、例えば、１時間当たりに光源１５の光出力がどの程度劣化するかを示す割合である。
【００９１】
図１５に示すように、光源１５近傍の温度が９０℃の場合の劣化係数が、１時間当たり０．０００７５％である場合、光源１５近傍の温度が８０℃の場合の劣化係数は、１時間当たり０．０００３７５％となり、光源１５近傍の温度が７０℃の場合の劣化係数は、１時間当たり０．０００１８８％となり、光源１５近傍の温度が６０℃の場合の劣化係数は、１時間当たり０．００００９４％となる。
【００９２】
特定した温度に対応する劣化係数に光源１５の使用時間を乗算することにより、使用時間が経過した時点での劣化度合いを求めることができる。
【００９３】
図１６は光源１５近傍の温度毎の光出力の劣化度合いを示す説明図である。図１６において、横軸は光源１５の使用時間を示し、縦軸は光源１５の光出力低下率を示す。なお、図１６に示す劣化度合いは、調光率（調光）が１００％の場合を示す。図１５に示すように、温度が９０℃の場合の１時間当たりの劣化係数は０．０００７５％である。すなわち、温度が９０℃の場合、使用時間が５０００時間での劣化度合いは、５０００×０．０００７５＝３．７５％となる。同様に、１００００時間、１５０００時間、２００００時間、２５０００時間、３００００時間、３５０００時間、４００００時間での劣化度合いは、それぞれ７．５０％、１１．２５％、１５．００％、１８．７５％、２２．５０％、２６．２５％、３０．００％となり、図１６の符号Ｔ＝９０℃で示す直線で表すことができる。
【００９４】
同様に、図１５に示すように、温度が８０℃の場合の１時間当たりの劣化係数は０．０００３７５％である。すなわち、温度が８０℃の場合、使用時間が５０００時間での劣化度合いは、５０００×０．０００３７５＝１．８７５％となる。同様に、１００００時間、１５０００時間、２００００時間、２５０００時間、３００００時間、３５０００時間、４００００時間での劣化度合いは、それぞれ３．７５０％、５．６２５％、７．５００％、９．３７５％、１１．２５０％、１３．１２５％、１５．０００％となり、図１６の符号Ｔ＝８０℃で示す直線で表すことができる。
【００９５】
同様に、図１５に示すように、温度が７０℃の場合の１時間当たりの劣化係数は０．０００１８８％である。すなわち、温度が７０℃の場合、使用時間が５０００時間での劣化度合いは、５０００×０．０００１８８＝０．９３８％となる。同様に、１００００時間、１５０００時間、２００００時間、２５０００時間、３００００時間、３５０００時間、４００００時間での劣化度合いは、それぞれ１．８７５％、２．８１３％、３．７５０％、４．６８８％、５．６２５％、６．５６３％、７．５００％となり、図１６の符号Ｔ＝７０℃で示す直線で表すことができる。
【００９６】
同様に、図１５に示すように、温度が６０℃の場合の１時間当たりの劣化係数は０．００００９４％である。すなわち、温度が６０℃の場合、使用時間が５０００時間での劣化度合いは、５０００×０．００００９４＝０．４７％となる。同様に、１００００時間、１５０００時間、２００００時間、２５０００時間、３００００時間、３５０００時間、４００００時間での劣化度合いは、それぞれ０．９４％、１．４１％、１．８８％、２．３５％、２．８２％、３．２９％、３．７５％となり、図１６の符号Ｔ＝６０℃で示す直線で表すことができる。
【００９７】
制御部１０は、劣化度合算出部１８で算出した劣化度合い（光出力低下率）に応じて、光源１５の光出力が略一定となるように電源部１７が供給する電力を調整する。すなわち、制御部１０は、光源１５の光出力が使用時間の経過と共に変化することを防止する。
【００９８】
また、制御部１０は、受光部１６から取得した調光率に応じて、電源部１７が供給する電力を調整する。
【００９９】
電源部１７は、制御部１０の制御のもと、ＰＷＭ回路のデューティ比を変更することにより、光源１５へ供給する電力を調整する。
【０１００】
図１７は実施の形態２の照明装置２００の光源１５への入力電力の設定例を示す説明図である。図１７において、横軸は光源１５の使用時間であり、使用時間が４００００時間で寿命時（寿命末期）としている。また、縦軸は定格に対する入力電力であり、光源１５の使用時間に応じた光源１５への入力電力（供給電力）を示す。すなわち、光源近傍の温度Ｔが９０℃の場合に光源１５の寿命時（使用時間が４００００時間）の入力電力（供給電力）を基準（１００％）としたときの、他の温度（Ｔ＝８０℃、７０℃、６０℃）毎に使用時間に応じて光源１５へ投入する入力電力の割合を示したものである。
【０１０１】
例えば、光源１５の近傍の温度Ｔが９０℃の場合において、光源１５の使用時間（電力供給時間）が光源１５の寿命時間に相当するとき（光源の寿命末期）の光出力低下率が３０％であるとする。光出力低下率は、使用時間×劣化係数により求めることができ、１時間当たりの劣化係数が０．０００７５％であり、寿命時間が４００００時間であるとすると、光源の寿命末期での光出力低下率は、０．０００７５×４００００＝３０％となる。そこで、使用時間が０である初期段階では、光出力低下率が０％であるとするとともに、光源１５に供給する電力を７０％（１００％−３０％）とし、使用時間が光源１５の寿命時間に相当する寿命末期段階では、光出力低下率が３０％であるとし、光源１５に供給する電力が１００％（７０％／０．７）として、光源１５へ供給する電力と使用時間との関係を定めることができる。
【０１０２】
また、光源１５の近傍の温度Ｔが８０℃の場合には、１時間当たりの劣化係数が０．０００３７５％であり、寿命時間が４００００時間であるとすると、光源の寿命末期での光出力低下率は、０．０００３７５×４００００＝１５％となる。そこで、使用時間が０である初期段階では、光出力低下率が０％であるとするとともに、光源１５に供給する電力を７０％とし、使用時間が光源１５の寿命時間に相当する寿命末期段階では、光出力低下率が１５％であるとし、光源１５に供給する電力が８２．３５３％（７０％／０．８５）として、光源１５へ供給する電力と使用時間との関係を定めることができる。
【０１０３】
また、光源１５の近傍の温度Ｔが７０℃の場合には、１時間当たりの劣化係数が０．０００１８８％であり、寿命時間が４００００時間であるとすると、光源の寿命末期での光出力低下率は、０．０００１８８×４００００＝７．５％となる。そこで、使用時間が０である初期段階では、光出力低下率が０％であるとするとともに、光源１５に供給する電力を７０％とし、使用時間が光源１５の寿命時間に相当する寿命末期段階では、光出力低下率が７．５％であるとし、光源１５に供給する電力が７５．６７６％（７０％／０．９２５）として、光源１５へ供給する電力と使用時間との関係を定めることができる。
【０１０４】
また、光源１５の近傍の温度Ｔが６０℃の場合には、１時間当たりの劣化係数が０．００００９４％であり、寿命時間が４００００時間であるとすると、光源の寿命末期での光出力低下率は、０．００００９４×４００００＝３．７５％となる。そこで、使用時間が０である初期段階では、光出力低下率が０％であるとするとともに、光源１５に供給する電力を７０％とし、使用時間が光源１５の寿命時間に相当する寿命末期段階では、光出力低下率が３．７５％であるとし、光源１５に供給する電力が７２．７２％（７０％／０．９６５）として、光源１５へ供給する電力と使用時間との関係を定めることができる。
【０１０５】
これにより、温度変動により光源１５の劣化度合いが変わる場合でも、劣化度合いに応じて供給電力を調整するので、光源１５の光出力（照度）を使用初期でも寿命末期でも略一定にすることができる。また、光源１５の光出力に対する調光率を変更した場合でも、調光率に応じた電力を供給することで、光源１５の劣化度合いを反映することができ、調光率に応じた略一定の光出力（照度）を得ることができる。
【０１０６】
図１８は光源１５の入力電力と劣化度合との関係の一例を示す説明図である。図１８において、横軸の入力電力は、図１７で示した定格に対する入力電力である。また、図１８のグラフは、調光（調光率）１００％の場合のグラフを示す。図１８は、光源１５の近傍の温度、使用時間などに基づいて算出された劣化度合いに応じて、光源１５への入力電力（供給電力）をいくらにすればよいかを定めたものである。例えば、任意の使用時間において、算出した劣化度合いが７．５％であるとすると、光源１５への入力電力は７５．６７６％となる。また、算出した劣化度合いが１５％であるとすると、光源１５への入力電力は８２．３５３％となる。なお、調光率が１００％以外の場合には、図１８で示す入力電力に調光率を乗算すれば、調光時の入力電力を求めることができる。
【０１０７】
上述のように、本実施の形態２では、所定温度での光源１５の光出力の経年劣化を示す劣化情報を記憶しておく。所定温度は、例えば、光源１５の使用時（点灯時）の光源１５近傍の最高温度とすることができ、一例として９０℃とすることができる。劣化情報は、例えば、光源１５の使用時間（電力供給時間）と光出力低下率との関係を示す情報である。使用時間が０である初期段階では、光出力低下率が０％であり、使用時間の経過とともに光出力低下率が増加し、光源１５の使用時間が寿命時間に相当するとき（光源の寿命末期）の光出力低下率が３０％であるとすることができる。
【０１０８】
劣化度合算出部１８は、所定温度と特定した温度との温度差及び計時した使用時間に基づいて、光源１５の光出力の劣化度合いを算出する。例えば、所定温度（例えば、９０℃）において、光源の使用時間が０から４００００時間となる間に劣化度合い（光出力低下率）が０％から３０％まで徐々に増加するとした場合、特定した温度が８０℃である場合、温度差が１０℃あるので、劣化度合いは半減し、光源の使用時間が０から４００００時間となる間に劣化度合い（光出力低下率）は０％から１５％まで徐々に増加するものとして求めることができる。他の特定した温度についても同様に求めることができる。これにより、温度が変動する場合でも精度よく劣化度合いを求めることができ、温度が変動する場合でも光源１５の光出力（照度）の変動を補償することができる。
【０１０９】
図１９は光源１５近傍の温度変化に伴う入力電力の設定例を示す説明図である。図１９においては、簡略化のため、５０００時間の都度、光源１５の近傍の温度が変化するものとするが、これに限定されるものではなく、使用時間が、例えば、３０分、１時間毎の光源１５近傍の温度の平均値を用い、３０分、１時間の都度入力電力を設定することができる。
【０１１０】
図１９に示すように、使用時間が０〜５０００時間での光源１５近傍の平均温度が９０℃であるとし、以降４００００時間に到るまでの間、５０００時間の都度、平均温度が８０℃、７０℃、６０℃、７０℃、８０℃、９０℃、８０℃であったとする。
【０１１１】
まず、使用時間が０〜５０００時間では、平均温度が９０℃であり、９０℃で５０００時間当たりの劣化度合いは３．７５％であるので、図１８に例示のグラフにより、定格に対する入力電力は７２．７２７％となる。
【０１１２】
使用時間が５０００〜１００００時間では、平均温度が８０℃であり、８０℃で５０００時間当たりの劣化度合いは１．８７５％であるので、直近の劣化度合い３．７５％に１．８７５％を加算すると劣化度合いは、５．６２５％となる。図１８に例示のグラフにより、定格に対する入力電力は７４．１７２％となる。
【０１１３】
また、使用時間が１００００〜１５０００時間では、平均温度が７０℃であり、７０℃で５０００時間当たりの劣化度合いは０．９３８％であるので、直近の劣化度合い５．６２５％に０．９３８％を加算すると劣化度合いは、６．５６３％となる。図１８に例示のグラフにより、定格に対する入力電力は７４．９１６％となる。
【０１１４】
また、使用時間が１５０００〜２００００時間では、平均温度が６０℃であり、６０℃で５０００時間当たりの劣化度合いは０．４６９％であるので、直近の劣化度合い６．５６３％に０．４６９％を加算すると劣化度合いは、７．０３２％となる。図１８に例示のグラフにより、定格に対する入力電力は７５．２９４％となる。
【０１１５】
また、使用時間が２００００〜２５０００時間では、平均温度が７０℃であり、７０℃で５０００時間当たりの劣化度合いは０．９３８％であるので、直近の劣化度合い７．０３２％に０．９３８％を加算すると劣化度合いは、７．９７％となる。図１８に例示のグラフにより、定格に対する入力電力は７６．０６１％となる。
【０１１６】
また、使用時間が２５０００〜３００００時間では、平均温度が８０℃であり、８０℃で５０００時間当たりの劣化度合いは１．８７５％であるので、直近の劣化度合い７．９７％に１．８７５％を加算すると劣化度合いは、９．８４５％となる。図１８に例示のグラフにより、定格に対する入力電力は７７．６４３％となる。
【０１１７】
また、使用時間が３００００〜３５０００時間では、平均温度が９０℃であり、９０℃で５０００時間当たりの劣化度合いは３．７５％であるので、直近の劣化度合い９．８４５％に３．７５％を加算すると劣化度合いは、１３．５９５％となる。図１８に例示のグラフにより、定格に対する入力電力は８１．０１３％となる。
【０１１８】
また、使用時間が３５０００〜４００００時間では、平均温度が８０℃であり、８０℃で５０００時間当たりの劣化度合いは１．８７５％であるので、直近の劣化度合い１３．５９５％に１．８７５％を加算すると劣化度合いは、１５．４７％となる。図１８に例示のグラフにより、定格に対する入力電力は８２．８１０％となる。
【０１１９】
これにより、温度が変動する場合でも劣化度合いを求め、求めた劣化度合いに応じて光源１５への入力電力を調整することができるので、温度が変動する場合でも光源１５の光出力（照度）の変動を補償することができる。
【０１２０】
なお、図１９の例では、調光率を１００％（全点灯）としたが、１００％未満の調光率で光源１５を点灯させた場合には、劣化度合いにより求めた入力電力に調光率を乗算して光源１５への入力電力とすればよい。
【０１２１】
図２０は調光率を変更した場合の光源１５近傍の温度変化に伴う入力電力の設定例を示す説明図である。図２０の例では、使用時間が０〜１００００時間では調光率を１００％とし、使用時間が１００００〜２００００時間では調光率が７５％とし、使用時間が２００００〜３００００時間では調光率が５０％とし、使用時間が３００００〜４００００時間では調光率が１００％であるとしている。
【０１２２】
図２０に示すように、使用時間が１００００〜１５０００時間では、調光率が７５％であるので、使用時間が１００００〜１５０００時間での入力電力は、図１９に例示した使用時間が１００００〜１５０００時間での入力電力７４．９１６％の０．７５倍である５６．１８７％としている。他の使用時間での調光率に対しても同様にして入力電力を求めることができる。
【０１２３】
上述のように、光源１５の光出力の調光率を含む調光信号を取得し、制御部１０は、取得した調光率及び算出した劣化度合いに応じて、電源部１７が供給する電力を調整する。光源１５の光出力に対する調光率を変更した場合でも、調光率に応じた電力を供給することで、光源１５の劣化度合いを反映することができ、調光率に応じた略一定の光出力（照度）を得ることができる。すなわち、光源１５の光出力を調光した場合でも、光源１５の光出力（照度）を一定に維持することができる。
【０１２４】
上述の実施の形態２では、制御部１０で光源１５近傍の温度を特定するとともに、劣化度合算出部１８で劣化度合いを算出する構成であったが、温度を特定し、劣化度合いを算出する構成は必須ではなく、省略することができる。この場合には、以下のようにして光源１５への供給電力を調整することができる。
【０１２５】
例えば、光源１５近傍の温度に関する諸量を取得する。温度に関する諸量は、光源１５近傍の温度自身、光源１５近傍の温度を推定することができる光源１５への供給電力、光源１５への供給電力を求めることができる調光率などである。光源１５の光出力に対する調光率を変更した場合、光源１５への供給電力が変わり、光源１５近傍の温度も変化することになる。制御部１０は、タイマ１４で計時した光源１５の使用時間及び取得した諸量に基づいて電源部１７が供給する電力を調整する。例えば、取得した諸量及び光源１５の使用時間に対応する供給電力を予めテーブルとして求めておき、計時した使用時間及び取得した諸量に対応する電力を電源部１７から光源１５へ供給する。これにより、温度変動により光源１５の劣化度合いが変わる場合でも、使用時間と諸量とに基づいて供給電力を調整するので、光源１５の光出力（照度）を使用初期でも寿命末期でも略一定にすることができる。また、光源１５の光出力に対する調光率を変更した場合でも、調光率に応じた電力を供給することで、光源１５の劣化度合いを反映することができ、調光率に応じた略一定の光出力（照度）を得ることができる。
【０１２６】
実施の形態２によれば、光源１５の劣化による照度低下（光出力低下）を推定することにより、照度の低下を補償することができ、光源の使用初期でも寿命末期でも同一の調光指示（調光率）で調光率に対応した同等の照度（光出力）を得ることができる。また、光源の劣化度合いに応じて供給電力を調整するので、一律の劣化度合いで供給電力を調整する場合に比べて、劣化度合いが少ない使用時間が多いほど、供給電力を少なくすることができ、照明装置の寿命末期に至るまでの間の電力消費を抑制することができる。
【符号の説明】
【０１２７】
１０  制御部
１１  ディップスイッチ
１２、１７  電源部
１３  記憶部
１４  タイマ
１５  光源
１６  受光部
１８  劣化度合算出部
１９  電力計測部
２０  温度センサ
【図１】
2013041724.tif 000003
【図２】
2013041724.tif 000004
【図３】
2013041724.tif 000005
【図４】
2013041724.tif 000006
【図５】
2013041724.tif 000007
【図６】
2013041724.tif 000008
【図７】
2013041724.tif 000009
【図８】
2013041724.tif 000010
【図９】
2013041724.tif 000011
【図１０】
2013041724.tif 000012
【図１１】
2013041724.tif 000013
【図１２】
2013041724.tif 000014
【図１３】
2013041724.tif 000015
【図１４】
2013041724.tif 000016
【図１５】
2013041724.tif 000017
【図１６】
2013041724.tif 000018
【図１７】
2013041724.tif 000019
【図１８】
2013041724.tif 000020
【図１９】
2013041724.tif 000021
【図２０】
2013041724.tif 000022